(57)【要約】【課題】省電力効果の大きい照明装置及びそれを用いた照明システムを提供する。【解決手段】照明システムは、人の在／不在を検出する人感センサ１３，２３，３３と、人感センサ１３，２３，３３の検出結果に応じて点灯／消灯する照明器具１４，２４，３４とを具備した照明装置１，２，３を備える。照明装置１は、これらの照明装置１，２，３による照明領域に外部から入ってきた人を最初に検出する位置に配置され、照明装置１の人感センサ１３が人の不在を検出している間は、照明装置１の照明器具１４を消灯し且つ照明装置２，３を停止させる。また、照明装置１の人感センサ１３が人の存在を検出すると、照明装置１は、照明装置１の照明器具１４を点灯し且つ照明装置２，３を待機状態にする。これにより、照明装置２，３を停止させている分だけ電力消費を抑えることができ、省電力効果の大きい照明システムを提供することができる。【選択図】図１
2013218956.tif 000002
【特許請求の範囲】
【請求項１】
人の在／不在を検出する人検出部と、前記人検出部の検出結果に応じて点灯／消灯する照明器具とを具備した照明装置を複数備え、複数の前記照明装置による照明領域に外部から入ってきた人を最初に検出する前記照明装置を第１照明装置とし、
前記第１照明装置の前記人検出部が人の不在を検出している間は、前記第１照明装置は、前記第１照明装置の前記照明器具が消灯し且つ少なくとも隣接する前記照明装置が停止するように制御し、
前記第１照明装置の前記人検出部が人の存在を検出すると、前記第１照明装置は、前記第１照明装置の前記照明器具が点灯し且つ少なくとも隣接する前記照明装置が待機状態となるように制御することを特徴とする照明システム。
【請求項２】
前記第１照明装置の前記人検出部が人の不在を検出している間は、前記第１照明装置は、前記第１照明装置の前記照明器具が消灯し且つ少なくとも隣接する前記照明装置の前記人検出部が停止するように制御し、
前記第１照明装置の前記人検出部が人の存在を検出すると、前記第１照明装置は、前記第１照明装置の前記照明器具が点灯し且つ少なくとも隣接する前記照明装置の前記人検出部が待機状態となるように制御することを特徴とする請求項１記載の照明システム。
【請求項３】
各々の前記照明装置は、少なくとも隣接する前記照明装置への給電路を開閉する第１開閉部を備え、
各々の前記照明装置では、前記人検出部が人の不在を検出している間は前記第１開閉部を開いて給電を停止し、前記人検出部が人の存在を検出すると前記第１開閉部を閉じて少なくとも隣接する前記照明装置へ電源を供給することを特徴とする請求項１又は２記載の照明システム。
【請求項４】
各々の前記照明装置は、少なくとも隣接する前記照明装置への給電路を開閉する第１開閉部と、前記人検出部の検出結果に応じて前記第１開閉部を制御する制御部とを備え、
各々の前記照明装置では、各々の前記照明装置の前記人検出部の検出結果及び少なくとも隣接する前記照明装置の前記人検出部の検出結果に応じて前記制御部が前記第１開閉部を制御することを特徴とする請求項１〜３の何れか１項に記載の照明システム。
【請求項５】
各々の前記照明装置は、少なくとも隣接する前記照明装置への給電路を開閉する第１開閉部と、各々の前記照明装置の前記照明器具への給電路を開閉する第２開閉部とを備え、
前記第１開閉部と前記第２開閉部とが異なる動作条件で開閉されることを特徴とする請求項１〜４の何れか１項に記載の照明システム。
【請求項６】
請求項１〜５の何れか１項に記載の照明システムに用いられることを特徴とする照明装置。
【発明の詳細な説明】
【技術分野】
【０００１】
本発明は、照明装置及びそれを用いた照明システムに関するものである。
【背景技術】
【０００２】
従来より、人の在／不在を検出して照明器具を点灯／消灯させる照明制御システムが提供されている（例えば特許文献１参照）。この照明制御システムは、照明器具と、照明器具に点灯電力を供給するリレー端末器と、人の在／不在に応じた検出信号を出力する人感センサと、人感センサからの検出信号に応じてリレー端末器のオン／オフを制御する主操作盤とを備える。
【０００３】
この照明制御システムでは、人感センサが人の存在を検出している間は人感センサから主操作盤に滞在信号（検出信号）が出力されるため、主操作盤はリレー端末器をオンにして照明器具に点灯電力を供給する。一方、人感センサが人の不在を検出している間は人感センサから主操作盤に不在信号（検出信号）が出力されるため、主操作盤はリレー端末器をオフにして照明器具への給電を停止する。
【先行技術文献】
【特許文献】
【０００４】
【特許文献１】特開２００３−２８２２７８号公報
【発明の概要】
【発明が解決しようとする課題】
【０００５】
上述の特許文献１に示した照明制御システムでは、人が不在の場合には照明器具を消灯させることで電力消費を抑えることができるものの、人の在／不在にかかわらず主操作盤及び人感センサが常に動作状態にあるため、その分電力消費が増加してしまい、十分な省電力効果が得られるものではなかった。
【０００６】
本発明は上記問題点に鑑みて為されたものであり、その目的とするところは、省電力効果の大きい照明装置及びそれを用いた照明システムを提供することにある。
【課題を解決するための手段】
【０００７】
本発明の照明システムは、人の在／不在を検出する人検出部と、人検出部の検出結果に応じて点灯／消灯する照明器具とを具備した照明装置を複数備え、複数の照明装置による照明領域に外部から入ってきた人を最初に検出する照明装置を第１照明装置としている。そして、第１照明装置の人検出部が人の不在を検出している間は、第１照明装置は、第１照明装置の照明器具が消灯し且つ少なくとも隣接する照明装置が停止するように制御する。また、第１照明装置の人検出部が人の存在を検出すると、第１照明装置は、第１照明装置の照明器具が点灯し且つ少なくとも隣接する照明装置が待機状態となるように制御する。
【０００８】
この照明システムにおいて、第１照明装置の人検出部が人の不在を検出している間は、第１照明装置は、第１照明装置の照明器具が消灯し且つ少なくとも隣接する照明装置の人検出部が停止するように制御し、第１照明装置の人検出部が人の存在を検出すると、第１照明装置は、第１照明装置の照明器具が点灯し且つ少なくとも隣接する照明装置の人検出部が待機状態となるように制御するのが好ましい。
【０００９】
また、この照明システムにおいて、各々の照明装置は、少なくとも隣接する照明装置への給電路を開閉する第１開閉部を備え、各々の照明装置では、人検出部が人の不在を検出している間は第１開閉部を開いて給電を停止し、人検出部が人の存在を検出すると第１開閉部を閉じて少なくとも隣接する照明装置へ電源を供給するのも好ましい。
【００１０】
さらに、この照明システムにおいて、各々の照明装置は、少なくとも隣接する照明装置への給電路を開閉する第１開閉部と、人検出部の検出結果に応じて第１開閉部を制御する制御部とを備え、各々の照明装置では、各々の照明装置の人検出部の検出結果及び少なくとも隣接する照明装置の人検出部の検出結果に応じて制御部が第１開閉部を制御するのも好ましい。
【００１１】
また、この照明システムにおいて、各々の照明装置は、少なくとも隣接する照明装置への給電路を開閉する第１開閉部と、各々の照明装置の照明器具への給電路を開閉する第２開閉部とを備え、第１開閉部と第２開閉部とが異なる動作条件で開閉されるのも好ましい。
【００１２】
本発明の照明装置は、上記の照明システムに用いられる。
【発明の効果】
【００１３】
第１照明装置の人検出部が人の不在を検出している間は、第１照明装置の照明器具が消灯し且つ少なくとも隣接する照明装置が停止するように制御しているので、少なくとも隣接する照明装置を停止させている分だけ電力消費を抑えることができ、省電力効果の大きい照明装置及び照明システムを提供することができる。
【図面の簡単な説明】
【００１４】
【図１】実施形態１の照明システムを示し、（ａ）は同上の概略ブロック図、（ｂ）は同上を構成する照明装置の制御部のブロック図である。
【図２】同上の動作を説明するためのタイミングチャートである。
【図３】同上の動作例を示す模式図である。
【図４】実施形態２の照明システムの概略ブロック図である。
【図５】同上の動作を説明するためのタイミングチャートである。
【図６】実施形態３の照明システムを示し、（ａ）は同上の概略ブロック図、（ｂ）は同上を構成する照明装置の制御部のブロック図である。
【図７】同上の動作を説明するためのタイミングチャートである。
【図８】同上の動作例を示す模式図である。
【発明を実施するための形態】
【００１５】
以下に、照明装置及び照明システムの実施形態について図面を参照して説明する。
【００１６】
（実施形態１）
図１（ａ）は本実施形態の照明システムを示す概略ブロック図であり、この照明システムは複数の照明装置１〜３を備えており、照明装置１には商用電源１００から電源線Ｌ１を介して常時電源が供給される。
【００１７】
照明装置１は、制御部１１とリレー端末器１２と人感センサ（人検出部）１３と照明器具１４とを主要な構成として備える。
【００１８】
制御部１１は、図１（ｂ）に示すように、一般的に使用される汎用のロジックＩＣからなる２入力のＯＲ回路１１０で構成される。ＯＲ回路１１０の一方の入力には隣接する照明装置２の制御部２１から出力される制御信号Ｓ２２が入力され、他方の入力には人感センサ１３から出力されるセンサ信号Ｓ１１が入力される。そして制御部１１は、これらのセンサ信号Ｓ１１及び制御信号Ｓ２２に従ってリレー端末器１２に対して制御信号Ｓ１２を出力する。ここに、制御信号Ｓ２２、センサ信号Ｓ１１及び制御信号Ｓ１２の関係を表１に示す。表１によれば、制御信号Ｓ２２及びセンサ信号Ｓ１１がともに「０」の場合には制御信号Ｓ１２が「０」となり、制御信号Ｓ２２又はセンサ信号Ｓ１１の少なくとも何れか一方が「１」の場合には制御信号Ｓ１２が「１」となる。
【００１９】
【表１】
2013218956.tif 000003
【００２０】
リレー端末器１２は、制御部１１から出力される制御信号Ｓ１２を受けて内蔵のリレー接点（図示せず）をＯＮ／ＯＦＦすることで、照明器具１４に対して電源の供給／停止を行う。また本実施形態では、リレー端末器１２により隣接する照明装置２への給電も行っている。
【００２１】
人感センサ１３は、例えば焦電形の赤外線センサからなり、検出領域ａ１（図３参照）内の人の在／不在を検出し制御部１１及び照明器具１４に対してセンサ信号Ｓ１１を出力する。
【００２２】
照明器具１４は、リレー端末器１２を介して電源が供給されると起動し、人感センサ１３が人の存在を検出している間は点灯して、人感センサ１３が人の不在を検出している間は消灯する。
【００２３】
照明装置２は、照明装置１と同様に、制御部２１とリレー端末器２２と人感センサ（人検出部）２３と照明器具２４とを主要な構成として備える。
【００２４】
制御部２１には、人感センサ２３から出力されるセンサ信号Ｓ２１と、隣接する照明装置３の制御部３１から出力される制御信号Ｓ３２とが入力され、リレー端末器２２及び照明装置１の制御部１１に対して制御信号Ｓ２２を出力する。また照明装置２には、照明装置１のリレー端末器１２及び電源線Ｌ２を介して電源が供給されるため、リレー端末器１２がＯＦＦの状態では照明装置２に電源が供給されず、停止状態になる。なお、制御部２１は制御部１１と同じＯＲ回路１１０で構成され、またリレー端末器２２、人感センサ２３及び照明器具２４についても、リレー端末器１２、人感センサ１３及び照明器具１４と同じ構成である。
【００２５】
照明装置３は、照明装置１と同様に、制御部３１とリレー端末器３２と人感センサ（人検出部）３３と照明器具３４とを主要な構成として備える。
【００２６】
制御部３１には、人感センサ３３から出力されるセンサ信号Ｓ３１が入力され、リレー端末器３２及び照明装置２の制御部２１に対して制御信号Ｓ３２を出力する。また照明装置３には、照明装置２のリレー端末器２２及び電源線Ｌ３を介して電源が供給されるため、リレー端末器２２がＯＦＦの状態では照明装置３に電源が供給されず、停止状態になる。なお、制御部３１は制御部１１と同じＯＲ回路１１０で構成され、またリレー端末器３２、人感センサ３３及び照明器具３４についても、リレー端末器１２、人感センサ１３及び照明器具１４と同じ構成である。ここに、制御部３１の残りの入力はグランドに接続されており、「０」の信号が常時入力されるようになっている。
【００２７】
図３は本実施形態の照明システムの動作例を示す模式図である。この照明システムは、人Ｐ１が矢印Ｂの方向のみに移動するような場所で使用されるものであり、照明装置１〜３による照明領域に入ってきた人Ｐ１を最初に検出する位置（図３中の左端）に照明装置１が設置されている。そしてこの照明システムでは、照明装置１→照明装置２→照明装置３の順番で人Ｐ１が検出される。ここに本実施形態では、照明装置１が第１照明装置を構成している。
【００２８】
次に、本実施形態の照明システムの動作について、図２及び図３を参照して説明する。人Ｐ１が照明装置１〜３による照明領域に入っていない時刻ｔ０では、照明装置１の制御部１１及び人感センサ１３のみに電源が供給されており、電源が供給されていない照明装置２，３は停止している。またこのとき、人Ｐ１は人感センサ１３の検出領域ａ１内に入っていないため、人感センサ１３からは「０」のセンサ信号Ｓ１１が出力され、これにより照明器具１４は消灯している。
【００２９】
時刻ｔ１のときに、照明装置１の人感センサ１３の検出領域ａ１内に人Ｐ１が入ると、人感センサ１３は「１」のセンサ信号Ｓ１１を出力する。照明装置１の制御部１１は、このセンサ信号Ｓ１１が入力されると、制御信号Ｓ２２の値にかかわらずリレー端末器１２に対して「１」の制御信号Ｓ１２を出力する。そしてリレー端末器１２は、この制御信号Ｓ１２に従ってリレー接点を閉極し、照明器具１４に対して電源を供給する。また照明器具１４には、人感センサ１３から「１」のセンサ信号Ｓ１１が入力され、このセンサ信号Ｓ１１に従って照明器具１４が点灯する。またこのとき、リレー端末器１２がＯＮになることで、電源線Ｌ２を介して隣接する照明装置２に電源が供給され、照明装置２が待機状態（制御部２１及び人感センサ２３のみが起動した状態）になる。
【００３０】
時刻ｔ２のときに、照明装置１の人感センサ１３の検出領域ａ１と照明装置２の人感センサ２３の検出領域ｂ１の重複領域に人Ｐ１が入ると、人感センサ２３は「１」のセンサ信号Ｓ２１を出力する。照明装置２の制御部２１は、このセンサ信号Ｓ２１が入力されると、制御信号Ｓ３２の値にかかわらずリレー端末器２２に対して「１」の制御信号Ｓ２２を出力する。そしてリレー端末器２２は、この制御信号Ｓ２２に従ってリレー接点を閉極し、照明器具２４に対して電源を供給する。また照明器具２４には、人感センサ２３から「１」のセンサ信号Ｓ２１が入力され、このセンサ信号Ｓ２１に従って照明器具２４が点灯する。またこのとき、リレー端末器２２がＯＮになることで、電源線Ｌ３を介して隣接する照明装置３に電源が供給され、照明装置３が待機状態（制御部３１及び人感センサ３３のみが起動した状態）になる。ここに本実施形態では、リレー端末器１２，２２，３２により第１開閉部が構成されており、これらのリレー端末器１２，２２，３２によって隣接する照明装置への電源の供給／停止を制御できるので、システム構成を簡略化することができる。
【００３１】
時刻ｔ３のときに、照明装置２の人感センサ２３のみで検出される領域に人Ｐ１が入ると、照明装置１の人感センサ１３から出力されるセンサ信号Ｓ１１が「０」になる。そして、照明装置１の照明器具１４は、このセンサ信号Ｓ１１に従って消灯し、照明装置１は待機状態（制御部１１及び人感センサ１３のみが起動した状態）になる。またこのとき、照明装置１の制御部１１には、隣接する照明装置２の制御部２１から「１」の制御信号Ｓ２２が入力されているため、制御部１１からは「１」の制御信号Ｓ１２が出力され、リレー端末器１２はＯＮ状態を維持する。これにより、照明装置２には継続して電源が供給されるため、照明器具２４は点灯状態を維持する。
【００３２】
時刻ｔ４のときに、照明装置２の人感センサ２３の検出領域ｂ１と照明装置３の人感センサ３３の検出領域ｃ１の重複領域に人Ｐ１が入ると、人感センサ３３は「１」のセンサ信号Ｓ３１を出力する。照明装置３の制御部３１は、このセンサ信号Ｓ３１が入力されると、リレー端末器３２に対して「１」の制御信号Ｓ３２を出力する。そしてリレー端末器３２は、この制御信号Ｓ３２に従ってリレー接点を閉極し、照明器具３４に対して電源を供給する。また照明器具３４には、人感センサ３３から「１」のセンサ信号Ｓ３１が入力され、このセンサ信号Ｓ３１に従って照明器具３４が点灯する。
【００３３】
時刻ｔ５のときに、照明装置３の人感センサ３３のみで検出される領域に人Ｐ１が入ると、照明装置２の人感センサ２３から出力されるセンサ信号Ｓ２１が「０」になる。そして、照明装置２の照明器具２４は、このセンサ信号Ｓ２１に従って消灯し、照明装置２は待機状態になる。またこのとき、照明装置２の制御部２１には、隣接する照明装置３の制御部３１から「１」の制御信号Ｓ３２が入力されているため、制御部２１からは「１」の制御信号Ｓ２２が出力される。これにより、照明装置１の制御部１１からは「１」の制御信号Ｓ１２が出力されるため、リレー端末器１２がＯＮ状態を維持し、照明装置２に継続して電源が供給される。また、照明装置２の制御部２１から出力される「１」の制御信号Ｓ２２により、リレー端末器２２がＯＮ状態を維持し、照明装置３に継続して電源が供給されるため、照明器具３４は点灯状態を維持する。
【００３４】
時刻ｔ６のときに、照明装置１，２，３の人感センサ１３，２３，３３の何れでも検出されない領域に人Ｐ１が入ると、照明装置３の人感センサ３３から出力されるセンサ信号Ｓ３１が「０」になる。そして、照明装置３の照明器具３４は、このセンサ信号Ｓ３１に従って消灯する。またこのとき、照明装置３の制御部３１から出力される制御信号Ｓ３２も「０」になるため、照明装置２の制御部２１から出力される制御信号Ｓ２２も「０」になり、さらに照明装置１の制御部１１から出力される制御信号Ｓ１２も「０」になる。その結果、照明装置１のリレー端末器１２がＯＦＦにされて照明装置２，３への給電が停止され、照明装置２，３が停止する。以降、照明装置１の人感センサ１３により再び人Ｐ１が検出されるまでこの状態（照明装置１が待機状態、照明装置２，３が停止状態）を維持する。
【００３５】
このように本実施形態では、照明装置１の人感センサ１３が人Ｐ１の存在を検出すると、照明器具１４を点灯させるとともに、隣接する照明装置２に給電して制御部２１及び人感センサ２３を起動させている。また、全ての照明装置１，２，３の人感センサ１３，２３，３３が人Ｐ１の不在を検出している間は、照明装置１の制御部１１及び人感センサ１３のみを起動させ、照明装置２，３への給電は停止している。これにより、図２中の斜線部分の電力消費を抑えることができ、省電力効果の大きい照明装置１〜３及び照明システムを提供することができる。また、照明装置１の人感センサ１３が人Ｐ１の存在を検出すると、照明装置２に電源を供給して待機状態にしているので、照明装置２の検出領域ｂ１内に人Ｐ１が入った際にすぐに人Ｐ１を検出して照明器具２４を点灯できるよう備えることができる。さらに、照明装置１の制御部１１には隣接する照明装置２の人感センサ２３からセンサ信号Ｓ２１が入力され、照明装置２の制御部２１には隣接する照明装置３の人感センサ３３からセンサ信号Ｓ３１が入力されるようになっている。これにより、照明装置１が待機状態になったとしてもセンサ信号Ｓ２３により照明装置２に電源を供給することができ、また照明装置１，２が待機状態になったとしてもセンサ信号Ｓ３３により照明装置３に電源を供給することができる。
【００３６】
また、センサ信号Ｓ１１，Ｓ２１，Ｓ３１及び制御信号Ｓ１２，Ｓ２２，Ｓ３２は「０」又は「１」の論理信号でよく、これらが入力される制御部１１，２１，３１は一般的に使用される汎用のロジックＩＣ（本実施形態ではＯＲ回路１１０）で構成できるため、簡単に回路を構成することができる。さらに、同じ構成の照明装置１〜３を接続していくだけで照明システムを構成できるため、親機と子機のように照明装置１〜３を分けて商品をラインナップする必要がない。また、同じ構成の照明装置を用い、切換スイッチ等で親機・子機を設定するような照明システムにおいては、その設定機能部を省くことができる。さらに、親機・子機を設定するような照明システムでは、各子機から親機に対してそれぞれ通信線を配線する必要があるため通信線が多くなってしまうが、本構成によれば照明装置間に電源線と１本の通信線を配線するだけでよく、容易に施工することができる。
【００３７】
なお本実施形態では、制御部１１，２１，３１を汎用のロジックＩＣ（本実施形態ではＯＲ回路１１０）で構成しているが、同様の動作が行えるものであれば他のものでもよく、ロジックＩＣに限定されない。また本実施形態では、制御部と人感センサを別々に設けているが、制御部を備えた人感センサであってもよい。さらに本実施形態では、制御部を通して人感センサに給電しているが、制御部を通さずに直接給電してもよい。また本実施形態では、各照明装置を構成する照明器具が１台であるが、各照明装置を構成する照明器具は複数台であってもよく、さらに各照明装置間で照明器具の台数が異なっていてもよい。さらに本実施形態では、各照明装置を直列的に接続しているが、各照明装置に対して複数の照明装置を並列的に接続してもよく、これにより部屋のような広い空間への適用性を高めることができる。また、照明装置の台数は本実施形態に限定されるものではなく、２台でもいいし、４台以上であってもよい。
【００３８】
（実施形態２）
照明装置及び照明システムの実施形態２について、図４及び図５を参照して説明する。上述の実施形態１では、照明器具への給電と隣接する照明装置への給電を１つのリレー端末器で行っているが、本実施形態では、照明器具への給電と隣接する照明装置への給電を別々のリレー端末器で行っている。なお、それ以外の構成は実施形態１と同様であり、同一の構成要素には同一の符号を付して説明を省略する。
【００３９】
本実施形態の照明システムは、図４に示すように複数の照明装置１〜３を備えており、照明装置１には商用電源１００から電源線Ｌ１を介して常時電源が供給される。
【００４０】
照明装置１は、制御部１１とリレー端末器１２，１５と人感センサ（人検出部）１３と照明器具１４とを主要な構成として備える。リレー端末器１２は、商用電源１００と照明器具１４の間に設けられており、人感センサ１３からのセンサ信号Ｓ１１を受けて内蔵のリレー接点（図示せず）をＯＮ／ＯＦＦすることで、照明器具１４に対して電源の供給／停止を行う。リレー端末器１５は、商用電源１００と隣接する照明装置２の間に設けられており、制御部１１からの制御信号Ｓ１２を受けて内蔵のリレー接点（図示せず）をＯＮ／ＯＦＦすることで、隣接する照明装置２に対して電源の供給／停止を行う。
【００４１】
照明装置２は、制御部２１とリレー端末器２２，２５と人感センサ（人検出部）２３と照明器具２４とを主要な構成として備える。リレー端末器２２は、電源線Ｌ２と照明器具２４の間に設けられており、人感センサ２３からのセンサ信号Ｓ２１を受けて内蔵のリレー接点（図示せず）をＯＮ／ＯＦＦすることで、照明器具２４に対して電源の供給／停止を行う。リレー端末器２５は、電源線Ｌ２と隣接する照明装置３の間に設けられており、制御部２１からの制御信号Ｓ２２を受けて内蔵のリレー接点（図示せず）をＯＮ／ＯＦＦすることで、隣接する照明装置３に対して電源の供給／停止を行う。
【００４２】
照明装置３は、制御部３１とリレー端末器３２，３５と人感センサ（人検出部）３３と照明器具３４とを主要な構成として備える。リレー端末器３２は、電源線Ｌ３と照明器具３４の間に設けられており、人感センサ３３からのセンサ信号Ｓ３１を受けて内蔵のリレー接点（図示せず）をＯＮ／ＯＦＦすることで、照明器具３４に対して電源の供給／停止を行う。なお、照明装置３には次の照明装置が接続されていないため、電源を供給する必要がなく、本実施形態ではリレー端末器３５は使用されない。ここに本実施形態では、リレー端末器１２，２２，３２により第２開閉部が構成され、リレー端末器１５，２５，３５により第１開閉部が構成されており、第１開閉部と第２開閉部とを異なる動作条件で開閉する点に特徴がある。
【００４３】
次に、本実施形態の照明システムの動作について、図３及び図５を参照して説明する。人Ｐ１が照明装置１〜３による照明領域に入っていない時刻ｔ０では、照明装置１の制御部１１及び人感センサ１３のみに電源が供給されており、電源が供給されていない照明装置２，３は停止している。またこのとき、人Ｐ１は人感センサ１３の検出領域ａ１内に入っていないため、人感センサ１３からは「０」のセンサ信号Ｓ１１が出力され、これにより照明器具１４は消灯している。
【００４４】
時刻ｔ１のときに、照明装置１の人感センサ１３の検出領域ａ１内に人Ｐ１が入ると、人感センサ１３は「１」のセンサ信号Ｓ１１を出力する。照明装置１の制御部１１は、このセンサ信号Ｓ１１が入力されると、制御信号Ｓ２２の値にかかわらずリレー端末器１５に対して「１」の制御信号Ｓ１２を出力する。そしてリレー端末器１５は、この制御信号Ｓ１２に従ってリレー接点を閉極し、電源線Ｌ２を介して隣接する照明装置２に電源を供給する。その結果、照明装置２の制御部２１及び人感センサ２３が起動して、照明装置２が待機状態になる。またこのとき、人感センサ１３からのセンサ信号Ｓ１１はリレー端末器１２にも入力されており、リレー端末器１２はこのセンサ信号Ｓ１１に従ってリレー接点を閉極し、照明器具１４に電源を供給する。その結果、照明器具１４が点灯する。なおこのとき、照明装置３には電源が供給されていないため、照明装置３は停止している。
【００４５】
時刻ｔ２のときに、照明装置１の人感センサ１３の検出領域ａ１と照明装置２の人感センサ２３の検出領域ｂ１の重複領域に人Ｐ１が入ると、人感センサ２３は「１」のセンサ信号Ｓ２１を出力する。照明装置２の制御部２１は、このセンサ信号Ｓ２１が入力されると、制御信号Ｓ３２の値にかかわらずリレー端末器２５に対して「１」の制御信号Ｓ２２を出力する。そしてリレー端末器２５は、この制御信号Ｓ２２に従ってリレー接点を閉極し、電源線Ｌ３を介して隣接する照明装置３に電源を供給する。その結果、照明装置３の制御部３１及び人感センサ３３が起動して、照明装置３が待機状態になる。またこのとき、人感センサ２３からのセンサ信号Ｓ２１はリレー端末器２２にも入力されており、リレー端末器２２はこのセンサ信号Ｓ２１に従ってリレー接点を閉極し、照明器具２４に電源を供給する。その結果、照明器具２４が点灯する。
【００４６】
時刻ｔ３のときに、照明装置２の人感センサ２３のみで検出される領域に人Ｐ１が入ると、照明装置１の人感センサ１３から出力されるセンサ信号Ｓ１１が「０」になる。そして、照明装置１のリレー端末器１２は、このセンサ信号Ｓ１１に従ってＯＦＦになり、照明器具１４が消灯して照明装置１が待機状態になる。またこのとき、照明装置１の制御部１１には、隣接する照明装置２の制御部２１から「１」の制御信号Ｓ２２が入力されているため、制御部１１からは「１」の制御信号Ｓ１２が出力され、リレー端末器１５はＯＮ状態を維持する。これにより、照明装置２には継続して電源が供給されるため、照明器具２４は点灯状態を維持する。
【００４７】
時刻ｔ４のときに、照明装置２の人感センサ２３の検出領域ｂ１と照明装置３の人感センサ３３の検出領域ｃ１の重複領域に人Ｐ１が入ると、人感センサ３３は「１」のセンサ信号Ｓ３１を出力する。照明装置３の制御部３１は、このセンサ信号Ｓ３１が入力されると、リレー端末器３５に対して「１」の制御信号Ｓ３２を出力する。またこのとき、人感センサ３３からのセンサ信号Ｓ３１はリレー端末器３２にも入力されており、リレー端末器３２はこのセンサ信号Ｓ３１に従ってリレー接点を閉極し、照明器具３４に電源を供給する。その結果、照明器具３４が点灯する。
【００４８】
時刻ｔ５のときに、照明装置３の人感センサ３３のみで検出される領域に人Ｐ１が入ると、照明装置２の人感センサ２３から出力されるセンサ信号Ｓ２１が「０」になる。そして、照明装置２のリレー端末器２２は、このセンサ信号Ｓ２１に従ってＯＦＦになり、照明器具２４が消灯して照明装置２が待機状態になる。またこのとき、照明装置２の制御部２１には、隣接する照明装置３の制御部３１から「１」の制御信号Ｓ３２が入力されているため、制御部２１からは「１」の制御信号Ｓ２２が出力される。これにより、照明装置１の制御部１１からは「１」の制御信号Ｓ１２が出力されるため、リレー端末器１５がＯＮ状態を維持し、照明装置２に継続して電源が供給される。また、照明装置２の制御部２１から出力される「１」の制御信号Ｓ２２により、リレー端末器２５がＯＮ状態を維持し、照明装置３に継続して電源が供給されるため、照明器具３４は点灯状態を維持する。
【００４９】
時刻ｔ６のときに、照明装置１，２，３の人感センサ１３，２３，３３の何れでも検出されない領域に人Ｐ１が入ると、照明装置３の人感センサ３３から出力されるセンサ信号Ｓ３１が「０」になる。そして、照明装置３のリレー端末器３２は、このセンサ信号Ｓ３１に従ってＯＦＦになり、照明器具３４が消灯する。またこのとき、照明装置３の制御部３１から出力される制御信号Ｓ３２も「０」になるため、照明装置２の制御部２１から出力される制御信号Ｓ２２も「０」になり、さらに照明装置１の制御部１１から出力される制御信号Ｓ１２も「０」になる。その結果、照明装置１のリレー端末器１５がＯＦＦにされて照明装置２，３への給電が停止され、照明装置２，３が停止する。以降、照明装置１の人感センサ１３により再び人Ｐ１が検出されるまでこの状態（照明装置１が待機状態、照明装置２，３が停止状態）を維持する。
【００５０】
このように本実施形態では、照明装置１の人感センサ１３が人Ｐ１の存在を検出すると、照明器具１４を点灯させるとともに、隣接する照明装置２に給電して制御部２１及び人感センサ２３を起動させている。また、全ての照明装置１，２，３の人感センサ１３，２３，３３が人Ｐ１の不在を検出している間は、照明装置１の制御部１１及び人感センサ１３のみを起動させ、照明装置２，３への給電は停止している。これにより、図５中の斜線部分の電力消費を抑えることができ、省電力効果の大きい照明装置１〜３及び照明システムを提供することができる。しかも本実施形態では、照明器具への給電と隣接する照明装置への給電を別々のリレー端末器により異なる動作条件で制御しており、照明器具を消灯している間の照明器具での待機電力（図５中の網掛け部分）についても抑えることができるので、実施形態１に比べてさらに電力消費を抑えることができる。
【００５１】
（実施形態３）
照明装置及び照明システムの実施形態３について、図６〜８を参照して説明する。実施形態１では、照明装置１〜３により照明システムを構成したが、本実施形態では、照明装置１〜４により照明システムを構成し且つ照明装置１，４に対して常時電源を供給している。なお、それ以外の構成は実施形態１と同様であり、同一の構成要素には同一の符号を付して説明を省略する。
【００５２】
本実施形態の照明システムは、図６（ａ）に示すように複数の照明装置１〜４を備えており、照明装置１には商用電源１００から電源線Ｌ１を介して常時電源が供給され、照明装置４には商用電源１０１から電源線Ｌ４を介して常時電源が供給される。
【００５３】
照明装置１は、制御部１１とリレー端末器１２と人感センサ（人検出部）１３と照明器具１４とを主要な構成として備える。制御部１１は、図６（ｂ）に示すように一般に使用される汎用のロジックＩＣからなる３入力のＯＲ回路１１１で構成され、人感センサ１３からのセンサ信号Ｓ１１と、隣接する照明装置２の制御部２１からの制御信号２２と、照明装置４の制御部４１からの制御信号Ｓ４２とが入力される。そして制御部１１は、これらのセンサ信号Ｓ１１及び制御信号Ｓ２２，Ｓ４２に従って制御信号Ｓ１２を生成し、リレー端末器１２に出力する。ここに、制御信号Ｓ２２，Ｓ４２、センサ信号Ｓ１１及び制御信号Ｓ１２の関係を表２に示す。表２によれば、制御信号Ｓ２２，Ｓ４２及びセンサ信号Ｓ１１がすべて「０」の場合には制御信号Ｓ１２が「０」となり、制御信号Ｓ２２，Ｓ４２又はセンサ信号Ｓ１１の少なくとも何れか１つが「１」の場合には制御信号Ｓ１２が「１」となる。
【００５４】
【表２】
2013218956.tif 000004
【００５５】
照明装置２は、照明装置１と同様に、制御部２１とリレー端末器２２と人感センサ（人検出部）２３と照明器具２４とを主要な構成として備える。制御部２１は、制御部１１と同様に汎用のロジックＩＣで構成されており、人感センサ２３からのセンサ信号Ｓ２１と、隣接する照明装置３の制御部３１からの制御信号３２と、照明装置４の制御部４１からの制御信号Ｓ４２とが入力される。そして制御部２１は、これらのセンサ信号Ｓ２１及び制御信号Ｓ３２，Ｓ４２に従って制御信号Ｓ２２を生成し、リレー端末器２２及び照明装置１の制御部１１に出力する。
【００５６】
照明装置３は、照明装置１と同様に、制御部３１とリレー端末器３２と人感センサ（人検出部）３３と照明器具３４とを主要な構成として備える。制御部３１は、制御部１１と同様に汎用のロジックＩＣで構成されており、人感センサ３３からのセンサ信号Ｓ３１と、隣接する照明装置４の制御部４１からの制御信号４２とが入力され、残りの１入力はグランドに接続されている。そして制御部３１は、これらのセンサ信号Ｓ３１及び制御信号４２に従って制御信号Ｓ３２を生成し、リレー端末器３２及び照明装置２の制御部２１に出力する。
【００５７】
照明装置４は、照明装置１と同様に、制御部４１とリレー端末器４２と人感センサ（人検出部）４３と照明器具４４とを主要な構成として備える。制御部４１は、制御部１１と同様に汎用のロジックＩＣで構成されており、人感センサ４３からのセンサ信号Ｓ４１が入力され、残りの２入力はグランドに接続されている。そして制御部４１は、センサ信号Ｓ４１に従って制御信号Ｓ４２を生成し、リレー端末器４２及び照明装置１，２，３の制御部１１，２１，３１に出力する。
【００５８】
図８は本実施形態の照明システムの動作例を示す模式図である。この照明システムは、人Ｐ１が矢印Ｃの方向又は矢印Ｃと反対方向へと一方向に移動するような場所で使用されるものであり、左側から照明装置１、照明装置２、照明装置３、照明装置４の順番に設置されている。そして、人Ｐ１が矢印Ｃの方向から入ってきた場合には、照明装置４→照明装置３→照明装置２→照明装置１の順番で人Ｐ１が検出され、人Ｐ１が矢印Ｃと反対方向から入ってきた場合には、照明装置１→照明装置２→照明装置３→照明装置４の順番で人Ｐ１が検出される。つまり本実施形態の照明システムでは、照明装置１〜４による照明領域に外部から入ってきた人Ｐ１を最初に検出する位置に照明装置１，４が設置されており、照明装置１，４により第１照明装置が構成されている。なお、人Ｐ１が矢印Ｃと反対方向から入ってくる場合の動作は実施形態１，２と同様であるから、ここでは説明を省略し、以下では人Ｐ１が矢印Ｃの方向から入ってくる場合についてのみ説明する。
【００５９】
次に、本実施形態の照明システムの動作について、図７及び図８を参照して説明する。人Ｐ１が照明装置１〜４による照明領域に入っていない時刻ｔ０では、照明装置１，４の制御部１１，４１及び人感センサ１３，４３のみに電源が供給されており、電源が供給されていない照明装置２，３は停止している。またこのとき、人Ｐ１は人感センサ１３，４３の検出領域ａ１，ｄ１内に入っていないため、人感センサ１３，４３からは「０」のセンサ信号Ｓ１１，Ｓ４１が出力され、これにより照明器具１４，４４は消灯している。
【００６０】
時刻ｔ１のときに、照明装置４の人感センサ４３の検出領域ｄ１内に人Ｐ１が入ると、人感センサ４３は「１」のセンサ信号Ｓ４１を出力する。照明装置４の制御部４１は、このセンサ信号Ｓ４１が入力されると、リレー端末器４２に対して「１」の制御信号Ｓ４２を出力する。そしてリレー端末器４２は、この制御信号Ｓ４２に従ってリレー接点を閉極し、照明器具４４に対して電源を供給する。また照明器具４４には、人感センサ４３から「１」のセンサ信号Ｓ４１が入力され、このセンサ信号Ｓ４１に従って照明器具４４が点灯する。またこのとき、制御部４１からの制御信号４２が照明装置１の制御部１１にも入力され、制御部１１はリレー端末器１２に対して「１」の制御信号Ｓ１２を出力する。リレー端末器１２は、この制御信号Ｓ１２に従ってリレー接点を閉極し、電源線Ｌ２を介して照明装置２に電源を供給する。照明装置２では、照明装置１から電源が供給されることで制御部２１及び人感センサ２３が起動し、このとき制御部２１にも照明装置４の制御部４１から「１」の制御信号Ｓ４２が入力されているため、制御部２１はリレー端末器２２に対して「１」の制御信号Ｓ２２を出力する。リレー端末器２２は、この制御信号Ｓ２２に従ってリレー接点を閉極し、電源線Ｌ３を介して照明装置３に電源を供給する。その結果、照明装置２，３が待機状態（制御部２１，３１及び人感センサ２３及び３３のみが起動した状態）になる。なおこのとき、照明器具１４，２４，３４は何れも点灯していない。ここに本実施形態では、リレー端末器１２，２２，３２，４２により第１開閉部が構成されている。
【００６１】
時刻ｔ２のときに、照明装置４の人感センサ４３の検出領域ｄ１と照明装置３の人感センサ３３の検出領域ｃ１の重複領域に人Ｐ１が入ると、人感センサ３３は「１」のセンサ信号Ｓ３１を出力する。このとき、制御部３１から出力される制御信号Ｓ３２は既に「１」であるため、リレー端末器３２を介して照明器具３４に電源が供給されている。そして、人感センサ３３から出力される「１」のセンサ信号Ｓ３１が照明器具３４に入力されると、このセンサ信号Ｓ３１に従って照明器具３４が点灯する。
【００６２】
時刻ｔ３のときに、照明装置３の人感センサ３３のみで検出される領域に人Ｐ１が入ると、照明装置４の人感センサ４３から出力されるセンサ信号Ｓ４１が「０」になる。そして照明装置４の照明器具４４は、このセンサ信号Ｓ４１に従って消灯し、照明装置４は待機状態（制御部４１及び人感センサ４３のみが起動した状態）になる。またこのとき、照明装置４の制御部４１から照明装置１〜３及びリレー端末器４２に出力される制御信号Ｓ４２も「０」になり、リレー端末器４２はリレー接点を開極する。なおこのとき、照明装置３の制御部３１から出力される制御信号Ｓ３２は「１」であるから、照明装置２の制御部２１から出力される制御信号Ｓ２２も「１」であり、さらに照明装置１の制御部１１から出力される制御信号も「１」である。その結果、リレー端末器１２，２２がＯＮ状態を維持するため、照明装置２，３に継続して電源が供給され、照明器具３４は点灯状態を維持する。
【００６３】
時刻ｔ４のときに、照明装置３の人感センサ３３の検出領域ｃ１と照明装置２の人感センサ２３の検出領域ｂ１の重複領域に人Ｐ１が入ると、人感センサ２３は「１」のセンサ信号Ｓ２１を出力する。このとき、制御部２１から出力される制御信号Ｓ２２は既に「１」であるため、リレー端末器２２を介して照明器具２４に電源が供給されている。そして、人感センサ２３から出力される「１」のセンサ信号Ｓ２１が照明器具２４に入力されると、このセンサ信号Ｓ２１に従って照明器具２４が点灯する。
【００６４】
時刻ｔ５のときに、照明装置２の人感センサ２３のみで検出される領域に人Ｐ１が入ると、照明装置３の人感センサ３３から出力されるセンサ信号Ｓ３１が「０」になる。そして照明装置３の照明器具３４は、このセンサ信号Ｓ３１に従って消灯し、照明装置３は待機状態（制御部３１及び人感センサ３３のみが起動した状態）になる。またこのとき、照明装置３の制御部３１から照明装置２及びリレー端末器３２に出力される制御信号Ｓ３２も「０」になり、リレー端末器３２はリレー接点を開極する。なおこのとき、照明装置２の制御部２１から出力される制御信号Ｓ２２は「１」であるから、照明装置１の制御部１１から出力される制御信号Ｓ１２も「１」である。その結果、リレー端末器１２がＯＮ状態を維持するため、照明装置２に継続して電源が供給され、照明器具２４は点灯状態を維持する。
【００６５】
時刻ｔ６のときに、照明装置２の人感センサ２３の検出領域ｂ１と照明装置１の人感センサ１３の検出領域ａ１の重複領域に人Ｐ１が入ると、人感センサ１３は「１」のセンサ信号Ｓ１１を出力する。このとき、制御部１１から出力される制御信号Ｓ１２は既に「１」であるため、リレー端末器１２を介して照明器具１４に電源が供給されている。そして、人感センサ１３から出力される「１」のセンサ信号Ｓ１１が照明器具１４に入力されると、センサ信号Ｓ１１に従って照明器具１４が点灯する。
【００６６】
時刻ｔ７のときに、照明装置１の人感センサ１３のみで検出される領域に人Ｐ１が入ると、照明装置２の人感センサ２３から出力されるセンサ信号Ｓ２１が「０」になる。そして照明装置２の照明器具２４は、このセンサ信号Ｓ２１に従って消灯するが、このとき制御部１１からは「１」の制御信号Ｓ１２が出力されるため、リレー端末器１２がＯＮ状態を維持し、照明装置２は待機状態（制御部２１及び人感センサ２３のみが起動した状態）になる。またこのとき、照明装置２の制御部２１から照明装置１及びリレー端末器２２に出力される制御信号Ｓ２２も「０」になり、リレー端末器２２はリレー接点を開極する。その結果、照明装置３への給電が停止され、照明装置３が停止する。
【００６７】
時刻ｔ８のときに、照明装置１，２，３，４の人感センサ１３，２３，３３，４３の何れでも検出されない領域に人Ｐ１が入ると、照明装置１の人感センサ１３から出力されるセンサ信号Ｓ１１が「０」になる。そして照明装置１の照明器具１４は、このセンサ信号Ｓ１１に従って消灯し、照明装置１は待機状態（制御部１１及び人感センサ１３のみが起動した状態）になる。またこのとき、照明装置１の制御部１１から出力される制御信号Ｓ１２も「０」になり、リレー端末器１２はリレー接点を開極する。その結果、照明装置２への給電が停止され、照明装置２が停止する。以降、照明装置１の人感センサ１１又は照明装置４の人感センサ４１により再び人Ｐ１が検出されるまでこの状態（照明装置１，４が待機状態、照明装置２，３が停止状態）を維持する。
【００６８】
このように本実施形態では、照明装置４の人感センサ４３が人Ｐ１の存在を検出すると、照明器具４４を点灯させるとともに、照明装置２，３に給電して制御部２１，３１及び人感センサ２３，３３を起動させている。また、全ての照明装置１，２，３，４の人感センサ１３，２３，３３，４３が人Ｐ１の不在を検出している間は、照明装置１，４の制御部１１，４１及び人感センサ１３，４３のみを起動させ、照明装置２，３への給電は停止している。これにより、図７中の斜線部分の電力消費を抑えることができ、省電力効果の大きい照明装置１〜４及び照明システムを提供することができる。
【００６９】
また、本実施形態のように出入り口が複数ある空間において、出入り口に最も近い照明装置１，４の制御部１１，４１及び人感センサ１３，４３のみを起動させ、残りの照明装置２，３は停止させておくことで、全ての人感センサ１３，２３，３３，４３が人の不在を検出している状態では実施形態１と同様の省電力効果を得ることができる。また、実施形態１と同様に照明装置１側から人Ｐ１が入ってきた場合には、人Ｐ１が移動していく方向に順番に給電していくことで、実施形態１と同様の省電力効果が得られる。さらに、本実施形態のように、照明装置４側から人Ｐ１が入ってきた場合には、照明装置４の人感センサ４３で人の存在を検出した時点で照明装置２，３に給電し、しかも通り過ぎた後の照明装置への給電は遮断していくことで、省電力効果を得ることができる。つまり、実施形態１では人の存在を検出するまでの無駄な待機電力を抑えることができるのに対して、本実施形態では人が通過した後の待機電力を抑えることができる。
【００７０】
なお本実施形態では、４つの照明装置１〜４で照明システムを構成しているが、実施形態１，２と同様に３つの照明装置１〜３で照明システムを構成してもよい。この場合、照明装置１，３が第１照明装置を構成する。また本実施形態では、３入力のＯＲ回路により制御部を構成しているが、２入力のＯＲ回路を２個使用して制御部を構成してもよく、さらに同様の動作を行えるものであれば他のもので構成してもよい。さらに本実施形態においても、照明器具への給電と隣接する照明装置への給電を別々のリレー端末器を介して行ってもよく、この場合さらに電力消費を抑えることができる。
【符号の説明】
【００７１】
１  照明装置（第１照明装置）
２，３  照明装置
１３，２３，３３  人感センサ（人検出部）
１４，２４，３４  照明器具
【図１】
2013218956.tif 000005
【図２】
2013218956.tif 000006
【図３】
2013218956.tif 000007
【図４】
2013218956.tif 000008
【図５】
2013218956.tif 000009
【図６】
2013218956.tif 000010
【図７】
2013218956.tif 000011
【図８】
2013218956.tif 000012